(57)【要約】【課題】通常モードにおいてはリジェクトすべき貨幣を回収カセットに収納し、補充モードにおいてはリジェクトすべき貨幣を返却するようにして、通常の入金処理においては貨幣の入金処理に手間取ることがなく、貨幣の補充を行う際には用意された貨幣を補充することができ、資金運用が悪くなることがないようにする。【解決手段】貨幣を入金及び出金する入出金部と、貨幣の認識を行う認識部と、認識部がリサイクル可能と認識した貨幣を金種別に収納する金種別収納部と、リジェクトすべき貨幣を収納する回収カセットと、通常モードと補充モードとを選択する選択手段とを有し、通常モードが選択された場合、入金中に認識部がリジェクトすべきと認識した貨幣を前記回収カセットに収納し、補充モードが選択された場合、入金中に認識部がリジェクトすべきと認識した貨幣を入出金部に返却する。【選択図】図１
2005266867.tif 000002
【特許請求の範囲】
【請求項１】
（ａ）貨幣を入金及び出金する入出金部と、
（ｂ）前記貨幣の搬送路に配設され、前記貨幣の認識を行う認識部と、
（ｃ）該認識部がリサイクル可能と認識した貨幣を金種別に収納するとともに、出金時には一枚ずつ繰り出すことができる金種別収納部と、
（ｄ）入金中に前記認識部がリサイクル不能と認識した貨幣、及び、リジェクトすべきと認識した貨幣を収納する回収カセットと、
（ｅ）通常モードと補充モードとを選択する選択手段とを有し、
（ｆ）前記通常モードが選択された場合、入金中に前記認識部がリジェクトすべきと認識した貨幣を前記回収カセットに収納し、
（ｇ）前記補充モードが選択された場合、入金中に前記認識部がリジェクトすべきと認識した貨幣を前記入出金部に返却することを特徴とする貨幣処理装置。
【請求項２】
前記通常モードが選択された場合、入金中に前記認識部がリサイクル不能と認識した貨幣、及び、リジェクトすべきと認識した貨幣は、前記搬送路で停止した後に逆方向に搬送されて前記回収カセットに収納される請求項１に記載の貨幣処理装置。
【請求項３】
（ａ）前記通常モードが選択された場合、入金中に前記入出金部から繰り出された先の貨幣が前記認識部によって認識された後に次の貨幣が前記入出金部から繰り出され、
（ｂ）前記補充モードが選択された場合、入金中に貨幣は前記入出金部から所定間隔で連続して繰り出される請求項１又は２に記載の貨幣処理装置。
【請求項４】
前記選択手段を操作することによって、随時通常モードと補充モードとを選択することができる請求項１〜３のいずれか１項に記載の貨幣処理装置。
【発明の詳細な説明】
【技術分野】
【０００１】
本発明は、貨幣処理装置に関するものである。
【背景技術】
【０００２】
従来、スーパーマーケット、コンビニエンスストア等の店舗におけるレジ精算場では、現金による販売で必要となる釣銭準備金を管理するために、ＰＯＳ（Ｐｏｉｎｔ  ｏｆ  Ｓａｌｅ）レジスタ等のレジスタ機に釣銭処理装置が取り付けられている（例えば、特許文献１参照。）。
【０００３】
そして、前記レジ精算場において精算を行う場合、前記店舗の係員がバーコード読み取り装置等の入力装置を操作して、顧客が購入した商品をＰＯＳレジスタに登録すると、該ＰＯＳレジスタの表示装置に顧客が購入した商品の合計金額が表示されるようになっている。続いて、前記係員は、表示された合計金額を顧客に伝え、該顧客から現金を受け取る。そして、受け取った現金が正常なものであることを確認した上で、前記現金を顧客から見える箇所に保持させたまま、前記ＰＯＳレジスタに受け取った現金の金額、すなわち、受け取り金額を入力する。
【０００４】
これにより、前記ＰＯＳレジスタは、前記合計金額と入力された受け取り金額とから釣銭額を算出する。ここで、釣銭を要する場合、前記ＰＯＳレジスタから前記釣銭処理装置に対して出金指示が出され、前記釣銭処理装置によって釣銭の出金が行われる。そして、前記係員が出金された釣銭を顧客に手渡した時点で該顧客との精算処理が完了する。そして、前記顧客はレジ精算場から立ち去る。
【０００５】
一方、前記係員は、前記顧客から受け取って顧客が見える箇所に保持させておいた現金を紙幣と硬貨とに分別し、前記釣銭処理装置の紙幣釣銭機及び硬貨釣銭機に、それぞれ、投入する。これにより、前記紙幣釣銭機及び硬貨釣銭機は、それぞれ、紙幣及び硬貨の入金処理を行う。
【特許文献１】特開２００１−１３４８０６号公報
【発明の開示】
【発明が解決しようとする課題】
【０００６】
しかしながら、前記従来の釣銭処理装置においては、顧客から受け取った現金が正常なものであっても、リジェクトされて入金処理が行われない場合があった。例えば、顧客から受け取った現金が正常な紙幣であったとしても、紙幣が汚れていたり疲労している場合や、紙幣釣銭機に投入する際に紙幣の斜行や重走が発生した場合、前記紙幣が、前記紙幣釣銭機によって正常なものとして判別されないで、入金処理が行われずにリジェクトされ、入出金口に返却されてしまうことがある。この場合、前記係員は、リジェクトされた紙幣を再度紙幣釣銭機に投入するための動作を繰り返して行わなければならない。また、該動作を何度繰り返してもリジェクトされる場合、前記係員は、リジェクトされた紙幣を別の保管庫に収納しなければならない。
【０００７】
そのため、紙幣のリジェクトが発生すると、紙幣の入金処理に著しく手間取ることになり、係員は次の顧客のための精算を行うことができなくなってしまう。したがって、次の顧客が長時間待たされることになり、レジ精算場が混雑してしまう。また、前記係員は、リジェクトされた紙幣を別の保管庫に収納して保管するので、該保管庫を別途管理しなればならず、前記係員の負担が増加してしまう。
【０００８】
もっとも、リジェクトされた紙幣を入出金口に返却せずに、釣銭処理装置内に配設されている回収カセットに収納するようにすることも考えられる。この場合、前記係員は、返却された紙幣を再度紙幣釣銭機に投入するための動作を行う必要がなく、また、リジェクトされた紙幣を別の保管庫に収納する必要もない。そのため、紙幣の入金処理に手間取ることがないのでレジ精算場が混雑することがなく、また、保管庫を管理する必要がないので前記係員の負担が増加することもない。
【０００９】
しかし、リジェクトされた紙幣を入出金口に返却せずに、釣銭処理装置内に配設されている回収カセットに収納するようにすると、店舗における資金運用が悪くなってしまうことがある。すなわち、店舗における業務の開始時や、業務途中であっても紙幣の不足が発生した場合には、前記係員が紙幣を入出金口から投入して紙幣釣銭機に補充するようになっている。この場合、紙幣の斜行や重走が発生すると、前記紙幣は入出金口に返却されずに回収カセットに収納されてしまう。ところが、該回収カセットは、セキュリティの観点から、一般的に、店舗における現金回収処理の管理者によって管理され、レジ精算場の係員が開閉して内部の紙幣を取り出すことができないようになっている。そのため、前記回収カセットに収納された紙幣を取り出す場合には、前記回収カセットをレジ精算場から、例えば、店舗の管理室等の他の場所に移動させ、該場所において前記管理者が前記回収カセットから紙幣を取り出すようになっている。したがって、レジ精算場の係員が紙幣を紙幣釣銭機に補充する際に、斜行や重走によって回収カセットに収納された紙幣は、事実上、店舗における業務が終了するまで、釣銭として使用することができなくなってしまう。そのため、釣銭とした用意された紙幣のうちの何枚かは釣銭として使用することができなくなり、釣銭として使用することができる紙幣が不足して、店舗における資金運用が悪くなってしまうことがある。
【００１０】
本発明は、前記従来の問題点を解決して、貨幣の入金処理等の通常の処理を行う通常モードと貨幣の補充処理を行う補充モードとを選択することができるようにして、通常モードにおいてはリジェクトすべき貨幣を回収カセットに収納し、補充モードにおいてはリジェクトすべき貨幣を返却するようにして、通常の入金処理においては貨幣の入金処理に手間取ることがなく、貨幣の補充を行う際には用意された貨幣を補充することができ、資金運用が悪くなることがない貨幣処理装置を提供することを目的とする。
【課題を解決するための手段】
【００１１】
そのために、本発明の貨幣処理装置においては、貨幣を入金及び出金する入出金部と、前記貨幣の搬送路に配設され、前記貨幣の認識を行う認識部と、該認識部がリサイクル可能と認識した貨幣を金種別に収納するとともに、出金時には一枚ずつ繰り出すことができる金種別収納部と、入金中に前記認識部がリサイクル不能と認識した貨幣、及び、リジェクトすべきと認識した貨幣を収納する回収カセットと、通常モードと補充モードとを選択する選択手段とを有し、前記通常モードが選択された場合、入金中に前記認識部がリジェクトすべきと認識した貨幣を前記回収カセットに収納し、前記補充モードが選択された場合、入金中に前記認識部がリジェクトすべきと認識した貨幣を前記入出金部に返却する。
【００１２】
本発明の他の貨幣処理装置においては、さらに、前記通常モードが選択された場合、入金中に前記認識部がリサイクル不能と認識した貨幣、及び、リジェクトすべきと認識した貨幣は、前記搬送路で停止した後に逆方向に搬送されて前記回収カセットに収納される。
【００１３】
本発明の更に他の貨幣処理装置においては、さらに、前記通常モードが選択された場合、入金中に前記入出金部から繰り出された先の貨幣が前記認識部によって認識された後に次の貨幣が前記入出金部から繰り出され、前記補充モードが選択された場合、入金中に貨幣は前記入出金部から所定間隔で連続して繰り出される。
【００１４】
本発明の更に他の貨幣処理装置においては、さらに、前記選択手段を操作することによって、随時通常モードと補充モードとを選択することができる。
【発明の効果】
【００１５】
本発明によれば、貨幣処理装置は、貨幣の入金処理等の通常の処理を行う通常モードと貨幣の補充処理を行う補充モードとを選択することができるようになっている。そのため、通常モードにおいてはリジェクトすべき貨幣を回収カセットに収納し、補充モードにおいてはリジェクトすべき貨幣を返却するようにして、通常の入金処理においては貨幣の入金処理に手間取ることがなく、貨幣の補充を行う際には用意された貨幣を補充することができ、資金運用が悪くなることがない。
【発明を実施するための最良の形態】
【００１６】
以下、本発明の実施の形態について図面を参照しながら詳細に説明する。
【００１７】
図１は本発明の実施の形態における貨幣処理装置の斜視図である。
【００１８】
図において、１１は、紙幣釣銭機として機能する紙幣釣銭部１２及び硬貨釣銭機として機能する硬貨釣銭部１３を有する貨幣処理装置としての釣銭機であり、ＰＯＳレジスタ１４に取り付けられている。該ＰＯＳレジスタ１４は、店舗におけるレジ精算場に配設され、店舗を訪れた顧客が店舗で販売される商品やサービスを購入して代金の精算を行うと、前記店舗におけるレジ係等の代金精算業務を行う係員が操作して、前記代金を商品やサービスの売上額として入力して合計売上額を集計するとともに、前記代金として顧客から受領した現金を収納するための装置である。
【００１９】
また、前記ＰＯＳレジスタ１４は、いわゆるＰＯＳシステムにおけるＰＯＳ端末として機能するものであり、売上額だけでなく、顧客が購入した商品やサービス毎に商品項目等の売上情報も入力される。そして、図示されないホストコンピュータが、ＰＯＳレジスタ１４とＬＡＮ（Ｌｏｃａｌ  Ａｒｅａ  Ｎｅｔｗｏｒｋ）等の通信回線網を介して接続され、前記ＰＯＳレジスタ１４に売上情報や売上額が入力される度に前記売上情報や売上額を収集し、店舗全体としての売上情報や売上額を集計する。なお、前記ＰＯＳレジスタ１４に代えて、ＰＯＳシステムに組み込まれていない、通常のレジスタ機を使用することもできる。
【００２０】
さらに、前記店舗は、例えば、コンビニエンスストア、スーパーマーケット、百貨店等の商店や、レストラン、喫茶店等の飲食店であるが、商品やサービスを販売する店舗であれば、いかなる種類の店舗であってもよい。そして、前記店舗の顧客がレジ精算場において精算を行う場合、前記店舗の係員が前記ＰＯＳレジスタ１４に付属する図示されないバーコード読み取り装置等の入力装置を操作して、顧客が購入した商品等をＰＯＳレジスタ１４に登録すると、図示されない表示装置に顧客が購入した商品やサービスの合計金額が表示される。続いて、前記係員は、表示された合計金額を顧客に伝え、該顧客から現金を受け取る。そして、受け取った現金が正常なものであることを確認した上で、前記現金を顧客から見える箇所に保持させたまま、前記ＰＯＳレジスタ１４に受け取った現金の金額、すなわち、受け取り金額を入力する。これにより、前記ＰＯＳレジスタ１４は、前記合計金額と入力された受け取り金額とから釣銭額を算出する。ここで、釣銭を要する場合、前記ＰＯＳレジスタ１４から前記釣銭機１１に対して出金指示が出され、前記釣銭機１１によって釣銭の出金が行われる。そして、前記係員が出金された釣銭を顧客に手渡した時点で該顧客との精算処理が完了し、前記顧客はレジ精算場から立ち去る。また、前記係員は、前記顧客から受け取った現金としての貨幣を後述される紙幣６０と硬貨とに分別し、前記紙幣釣銭部１２及び硬貨釣銭部１３に、それぞれ、投入して入金する。
【００２１】
なお、本実施の形態において、前記釣銭機１１は、図書券、ビール券、ギフト券、商品券等の金券やトラベラーズチェック、小切手、株券等の有価証券も紙幣６０と同様に取り扱うことができるものであるが、ここでは、説明の都合上、金券や有価証券についての説明は省略する。
【００２２】
そして、前記釣銭機１１は、顧客から受け取った硬貨を投入して入金する硬貨入金口１５、顧客に釣銭として支払う硬貨を払い出す硬貨出金口１６、受け入れ不能と判別されてリジェクトされた硬貨を収納するリジェクト部１７、顧客から受け取った紙幣６０を入金したり、顧客に釣銭として支払う紙幣６０を払い出して出金したりする入出金部としての紙幣入出金口３０、及び、紙幣釣銭部１２内に収納されている紙幣６０を回収し、収納する回収カセットとしての回収カセット部３１を有する。また、前記釣銭機１１は、係員が操作するための操作表示部２０を有する。該操作表示部２０は、通常モードと補充モードとを選択する選択手段としてのモード切り換えキーを含むキーボード、タッチパネル、スイッチ等から成る入力部２０ａ、ＣＲＴ、液晶ディスプレイ、ＬＥＤ（Ｌｉｇｈｔ  Ｅｍｉｔｔｉｎｇ  Ｄｉｏｄｅ）ディスプレイ等から成る表示部２０ｂを備える。
【００２３】
また、店舗における業務の開始時や、業務途中であっても釣銭機１１に収納されている紙幣６０又は硬貨の不足が発生した場合には、前記係員が、現金管理者の指示に従って、紙幣６０又は硬貨を紙幣入出金口３０又は硬貨入金口１５から投入して釣銭機１１に補充するようになっている。
【００２４】
次に、前記釣銭機１１の構成を機能の観点から説明する。
【００２５】
図２は本発明の実施の形態における釣銭機の機能構成を示すブロック図である。
【００２６】
図２において、１８は釣銭機１１の制御部であり、演算手段であるＣＰＵ２１、記憶手段であるメモリ２２、インターフェイスであるＩ／Ｏポート２３〜２５を有する。なお、前記ＣＰＵ２１、メモリ２２、Ｉ／Ｏポート２３〜２５は、内部バス２６を介して相互に通信可能に接続されている。また、前記制御部１８はＰＯＳレジスタ１４と通信可能に接続されている。
【００２７】
そして、前記Ｉ／Ｏポート２３には操作表示部２０の入力部２０ａ及び表示部２０ｂが接続されている。前記入力部２０ａの検知信号はＩ／Ｏポート２３、内部バス２６を通じてＣＰＵ２１に送信される。また、表示部２０ｂのドライブ信号は、ＣＰＵ２１から内部バス２６、Ｉ／Ｏポート２３を通じて表示部２０ｂに送信される。
【００２８】
さらに、前記Ｉ／Ｏポート２４には、紙幣釣銭部１２のモータ１２ａ、ソレノイド１２ｂ及びセンサ１２ｃが接続され、前記Ｉ／Ｏポート２５には、硬貨釣銭部１３のモータ１３ａ、ソレノイド１３ｂ及びセンサ１３ａが接続されている。そして、前記センサ１２ｃ及びセンサ１３ｃの検知信号は、Ｉ／Ｏポート２４及びＩ／Ｏポート２５並びに内部バス２６を通じてＣＰＵ２１に送信される。また、前記モータ１２ａ及びモータ１３ａ、ソレノイド１２ｂ及びソレノイド１３ｂ等の各種駆動系のドライブ信号は、ＣＰＵ２１から内部バス２６、Ｉ／Ｏポート２４及びＩ／Ｏポート２５を通じてモータ１２ａ及びモータ１３ａ、ソレノイド１２ｂ及びソレノイド１３ｂ等に送信される。なお、前記メモリ２２には、センサ１２ｃ及びセンサ１３ｃの検知信号によって各種駆動系を制御する手順等を実行するファームウェアが格納されている。
【００２９】
そして、前記釣銭機１１は、入力部２０ａのモード切り換えキーを操作することによって、通常の入金処理を行う通常モードと貨幣の補充を行う補充モードとに切り換えて選択することができるようになっている。この場合、前記通常モードにおいては、リジェクトされた紙幣６０が回収カセット部３１に収納され、補充モードにおいては、リジェクトされた紙幣６０が紙幣入出金口３０に返却される。
【００３０】
次に、前記紙幣釣銭部１２の構成を説明する。
【００３１】
図３は本発明の実施の形態における紙幣釣銭部の概略断面図である。
【００３２】
図３に示されるように、紙幣釣銭部１２は、顧客から受け取った紙幣６０を入金する入金口部及び釣銭としての紙幣６０を出金するための出金部として機能する紙幣入出金口３０、紙幣釣銭部１２における内部の紙幣６０を回収して収納する回収カセット部３１、千円券を収納する金種別収納部としての第１収納庫３２、五千円券を収納する金種別収納部としての第２収納庫３３、紙幣６０を認識する認識部としての入出金紙幣認識部３４、リジェクトされた紙幣６０を収納する出金リジェクト部３５、及び、紙幣６０を搬送する搬送路を構成する搬送ベルト３６を有する。
【００３３】
そして、図３において、４５は第１収納庫３２から紙幣６０を繰り出すための繰り出しローラであり、さらに、４６及び４７は分離ゲートローラであり、分離モータ４０によって駆動される。また、４８は第２収納庫３３から紙幣６０を繰り出すための繰り出しローラであり、さらに、４９及び５０は分離ゲートローラであり、分離モータ４１によって駆動される。なお、前記搬送ベルト３６は搬送モータ３８によって駆動される。また、５４は搬送路に配設された振り分けセンサであり、５１及び５３は搬送路に配設された搬送振り分けゲートである。さらに、６１は紙幣入出金口３０にセットされた紙幣６０が載置される昇降可能なステージであり、５５は紙幣入出金口３０にセットされた紙幣６０を確認するセンサであり、５６は紙幣入出金口３０から紙幣６０が繰り出されたことを確認するセンサである。また、紙幣入出金口３０には、繰り出しローラ４２と、分離ゲートローラ４３及び分離ゲートローラ４４とが配設され、分離モータ３９によって駆動される。さらに、３４ａは入出金紙幣認識部３４に配設された金種を判別するセンサであり、５７は振り分けトリガセンサであり、５２は金種に応じて紙幣を振り分ける搬送振り分けゲートである。
【００３４】
次に、前記構成の釣銭機１１の動作について説明する。まず、釣銭の出金処理の動作について説明する。本実施の形態においては、釣銭の出金処理の場合、通常モードが選択され、表示部２０ｂに通常モードである旨が表示される。なお、硬貨釣銭部１３の動作については、説明を省略する。
【００３５】
まず、店舗を訪れた顧客が店舗で販売される商品やサービスを購入して、レジ精算場において代金の精算を行う。この場合、前記店舗の係員がバーコード読み取り装置等の入力装置を操作して、顧客が購入した商品をＰＯＳレジスタ１４に登録する。すると、該ＰＯＳレジスタ１４の表示装置に顧客が購入した商品の合計金額が表示される。続いて、前記係員は、表示された合計金額を顧客に伝え、該顧客から現金、すなわち、貨幣を受け取る。そして、受け取った貨幣が正常なものであることを確認した上で、前記貨幣を顧客から見える箇所に保持させたまま、前記ＰＯＳレジスタ１４に受け取った貨幣の金額、すなわち、受け取り金額を入力する。
【００３６】
これにより、前記ＰＯＳレジスタ１４は、前記合計金額と入力された受け取り金額とから釣銭額を算出する。ここで、釣銭を要する場合、前記ＰＯＳレジスタ１４から前記釣銭機１１に対して出金指示が出され、前記釣銭機１１が出金処理を開始する。この場合、前記ＰＯＳレジスタ１４から、釣銭として出金される紙幣６０の金種及び枚数が制御部１８に送信される。なお、前記ＰＯＳレジスタ１４から金額だけが送信された場合には、制御部１８が紙幣６０の金種及び枚数を設定する。
【００３７】
続いて、制御部１８は、搬送モータ３８を起動し、千円券、五千円券の順で、又は、五千円券、千円券の順で順次、紙幣６０の繰り出しを行う。千円券については、分離モータ４０を起動して繰り出しローラ４５と分離ゲートローラ４６及び分離ゲートローラ４７とを駆動し、所定の枚数の紙幣６０を第１収納庫３２から繰り出す。また、五千円券については、分離モータ４１を起動して繰り出しローラ４８と分離ゲートローラ４９及び分離ゲートローラ５０とを駆動し、所定の枚数の紙幣６０を第２収納庫３３から繰り出す。これにより、紙幣６０が一枚ずつ順次搬送ベルト３６によって搬送される。そして、前記紙幣６０は、入出金紙幣認識部３４を通過する際に、金種及び枚数が判別される。
【００３８】
続いて、前記入出金紙幣認識部３４によって釣銭として出金可能と判別された紙幣６０は、振り分けセンサ５４を通過すると、搬送振り分けゲート５１によって紙幣入出金口３０に向けて搬送され、該紙幣入出金口３０に払い出されて出金される。一方、前記入出金紙幣認識部３４によって釣銭として出金不可能と判別された紙幣６０は、リジェクトすべきものとされ、振り分けセンサ５４を通過すると、搬送振り分けゲート５１によって出金リジェクト部３５に向けて搬送され、該出金リジェクト部３５に収納される。
【００３９】
なお、釣銭に硬貨が含まれる場合は、硬貨釣銭部１３が所定の金種及び枚数の硬貨を硬貨出金口１６に払い出して出金する。そして、前記係員は、出金された釣銭を顧客に手渡した時点で該顧客との精算処理が完了し、前記顧客はレジ精算場から立ち去る。一方、前記係員は、前記顧客から受け取って顧客が見える箇所に保持させておいた貨幣を紙幣６０と硬貨とに分別し、紙幣釣銭部１２の紙幣入出金口３０及び硬貨釣銭部１３の硬貨入金口１５に、それぞれ、投入する。これにより、前記紙幣釣銭部１２及び硬貨釣銭部１３は、それぞれ、紙幣６０及び硬貨の入金処理を行う。
【００４０】
次に、貨幣の入金処理の動作について説明する。なお、硬貨釣銭部１３の動作については、説明を省略する。
【００４１】
図４は本発明の実施の形態における釣銭機の表示部の表示画面の例を示す図、図５は本発明の実施の形態における紙幣釣銭部の紙幣の入金処理の動作を示すフローチャートである。
【００４２】
ここでは、前記係員が入力部２０ａのモード切り換えキーを操作して通常モードを選択し、釣銭機１１があらかじめ通常モードに設定されている。そして、前記係員が紙幣入出金口３０に紙幣６０を投入して入金すると、センサ５５が紙幣６０がセットされたことを確認する。すると、制御部１８は、紙幣入出金口３０のステージ６１を上昇させた後、搬送モータ３８を起動して繰り出しローラ４２を駆動し、続いて、分離モータ３９を起動して分離ゲートローラ４３及び分離ゲートローラ４４を駆動する。これにより、セットされた紙幣６０の分離が開始される。そして、前記ステージ６１上に集積された紙幣６０は、最上位の紙幣６０から順に、繰り出しローラ４２によって繰り出され、分離ゲートローラ４３及び分離ゲートローラ４４によって一枚ずつに分離され、一枚ずつ順次搬送ベルト３６によって搬送される。この場合、前記紙幣入出金口３０から繰り出された先の紙幣６０が入出金紙幣認識部３４によって認識された後に、次の紙幣６０が紙幣入出金口３０から繰り出されるようになっている。
【００４３】
続いて、紙幣入出金口３０に投入された紙幣６０がすべて繰り出されると、センサ５５がオフになり、制御部１８は、分離モータ３９を停止して分離ゲートローラ４３及び分離ゲートローラ４４を停止させる。一方、前記紙幣６０は、入出金紙幣認識部３４を通過する際に該入出金紙幣認識部３４のセンサ３４ａによって認識され、金種及び枚数が判別される。そして、制御部１８は、入出金紙幣認識部３４による認識結果に基づき、紙幣６０がリサイクル可能な千円券である場合、第１収納庫３２が満杯であるか否かを判断する。そして、満杯でなければ、前記紙幣６０を第１収納庫３２に向けて搬送させて、該第１収納庫３２に収納する。また、制御部１８は、入出金紙幣認識部３４による認識結果に基づき、紙幣６０がリサイクル可能な五千円券である場合、第２収納庫３３が満杯であるか否かを判断する。そして、満杯でなければ、前記紙幣６０を第２収納庫３３に向けて搬送させて、該第２収納庫３３に収納する。
【００４４】
この場合、入出金紙幣認識部３４を通過した紙幣６０が振り分けトリガセンサ５７によって検知されると、搬送振り分けゲート５２が作動して、金種に応じて紙幣６０を第１収納庫３２又は第２収納庫３３に振り分けるようになっている。なお、前記紙幣６０は、先に繰り出された紙幣６０が入出金紙幣認識部３４による認識が完了した後に、次の紙幣６０が紙幣入出金口３０から繰り出されるので、千円券である紙幣６０と五千円券である紙幣６０とが順次搬送されても、第１収納庫３２と第２収納庫３３とに適切に振り分けることができる。
【００４５】
そして、紙幣６０が第１収納庫３２又は第２収納庫３３に収納され、入出金紙幣認識部３４が搬送されたすべての紙幣６０の認識を完了すると、制御部１８は、紙幣入出金口３０に投入された紙幣６０があるか否か、すなわち、入金紙幣があるか否かを判断する。そして、入金紙幣がない場合には入金処理を終了し、入金紙幣がある場合には、再び分離モータ３９を起動して分離ゲートローラ４３及び分離ゲートローラ４４を駆動し、前述した動作を繰り返して行う。
【００４６】
一方、制御部１８は、入出金紙幣認識部３４による認識結果に基づき、紙幣６０がリサイクル不可能な二千円券若しくは一万円券である場合又は判別不能でリジェクトすべきもの、すなわち、リジェクト紙幣である場合には、搬送モータ３８を停止させる。続いて、制御部１８は、搬送モータ３８を逆転駆動して搬送ベルト３６を逆方向に移動させ、搬送振り分けゲート５１及び搬送振り分けゲート５３を作動させて、前記紙幣６０を回収カセット部３１に収納する。なお、前述されたように第１収納庫３２が満杯であるか否かを判断して満杯である場合、及び、第２収納庫３３が満杯であるか否かを判断して満杯である場合にも、制御部１８は、同様の動作を行って、紙幣６０を回収カセット部３１に収納する。
【００４７】
また、制御部１８は、回収カセット部３１に紙幣６０が収納される度に表示部２０ｂに図４に示されるような表示画面を表示させるようになっている。これにより、前記係員は、投入した紙幣６０の内訳を容易に把握することができる。
【００４８】
そして、紙幣６０が回収カセット部３１に収納されると、制御部１８は、紙幣入出金口３０に投入された紙幣６０があるか否か、すなわち、入金紙幣があるか否かを判断する。そして、入金紙幣がない場合には入金処理を終了し、入金紙幣がある場合には、再び搬送モータ３８を起動して正転させ、続いて、分離モータ３９を起動して分離ゲートローラ４３及び分離ゲートローラ４４を駆動し、前述した動作を繰り返して行う。なお、第１収納庫３２又は第２収納庫３３が満杯である場合には、紙幣６０が回収カセット部３１に収納された後に、入金処理を中止させるようにしてもよい。
【００４９】
次に、フローチャートについて説明する。
ステップＳ１  通常モードに設定する。
ステップＳ２  紙幣入出金口３０に紙幣６０を投入する。
ステップＳ３  ステージ６１を上昇させる。
ステップＳ４  搬送モータ３８を起動する。
ステップＳ５  分離モータ３９を起動する。
ステップＳ６  紙幣６０を繰り出す。
ステップＳ７  センサ５５がオフになる。
ステップＳ８  分離モータ３９を停止する。
ステップＳ９  入出金紙幣認識部３４によって金種を判別する。リサイクル可能な千円券である場合はステップＳ１０に進み、リサイクル可能な五千円券である場合はステップＳ１２に進み、リサイクル不可能な二千円券若しくは一万円券又は判別不能なリジェクト紙幣である場合はステップＳ１５に進む。
ステップＳ１０  第１収納庫３２が満杯であるか否かを判断する。第１収納庫３２が満杯である場合はステップＳ１５に進み、第１収納庫３２が満杯でない場合はステップＳ１１に進む。
ステップＳ１１  第１収納庫３２に収納する。
ステップＳ１２  第２収納庫３３が満杯であるか否かを判断する。第２収納庫３３が満杯である場合はステップＳ１５に進み、第２収納庫３３が満杯でない場合はステップＳ１３に進む。
ステップＳ１３  第２収納庫３３に収納する。
ステップＳ１４  次の入金紙幣があるか否かを判断する。次の入金紙幣がある場合はステップＳ５に戻り、次の入金紙幣がない場合は処理を終了する。
ステップＳ１５  搬送モータ３８を停止する。
ステップＳ１６  搬送モータ３８を逆転駆動する。
ステップＳ１７  回収カセット部３１に収納する。
ステップＳ１８  次の入金紙幣があるか否かを判断する。次の入金紙幣がある場合はステップＳ４に戻り、次の入金紙幣がない場合は処理を終了する。
【００５０】
次に、貨幣の補充処理の動作について説明する。なお、硬貨釣銭部１３の動作については、説明を省略する。
【００５１】
図６は本発明の実施の形態における紙幣の搬送間隔を示す図、図７は本発明の実施の形態における紙幣釣銭部の紙幣の補充処理の動作を示すフローチャートである。
【００５２】
店舗における業務の開始時や、業務途中であっても紙幣釣銭部１２に紙幣６０の不足が発生した場合には、前記係員が、現金管理者の指示に従って、紙幣６０を紙幣入出金口３０から投入して紙幣釣銭部１２に補充するようになっている。例えば、第１収納庫３２又は第２収納庫３３が空、すなわち、エンプティに近くなると、操作表示部２０に金種別ニアエンプティが表示されるので、前記係員は、紙幣６０の不足が発生したことを認識することができる。この場合、前記係員が入力部２０ａのモード切り換えキーを操作して補充モードを選択し、釣銭機１１があらかじめ補充モードに設定される。
【００５３】
そして、前記係員が紙幣入出金口３０に紙幣６０を投入して入金すると、センサ５５が紙幣６０がセットされたことを確認する。すると、制御部１８は、紙幣入出金口３０のステージ６１を上昇させる。これにより、該ステージ６１上に集積された紙幣６０のうち、最上位の紙幣６０が所定圧で繰り出しローラ４２に圧接させられる。なお、ステージ６１上の最上位の紙幣６０が繰り出しローラ４２に圧接する位置にまで上昇すると、図示されないステージセンサがオンになる。
【００５４】
続いて、制御部１８は、搬送モータ３８を起動して繰り出しローラ４２を駆動し、続いて、分離モータ３９を起動して分離ゲートローラ４３及び分離ゲートローラ４４を駆動する。これにより、セットされた紙幣６０の分離が開始される。ここで、前記ステージ６１上に集積された紙幣６０は、最上位の紙幣６０から順に、繰り出しローラ４２によって繰り出され、分離ゲートローラ４３及び分離ゲートローラ４４によって一枚ずつに分離され、一枚ずつ順次搬送ベルト３６によって搬送される。この場合、前記紙幣６０は、図６に示されるように、所定間隔で連続して紙幣入出金口３０から繰り出され、隣接するもの同士が所定の搬送間隔Ｔを空けて搬送される。
【００５５】
ここで、紙幣６０がステージ６１上から繰り出され、前記ステージセンサがオフになると、制御部１８は、前記ステージセンサがオンになるまで、ステージ６１を微少量だけ上昇させる。これにより、最上位の紙幣６０が再び所定圧で繰り出しローラ４２に圧接させられる。そして、ステージ６１上に集積されたすべての紙幣６０が繰り出されるまで、ステージ６１を微少量だけ上昇させる動作を繰り返して行う。なお、すべての紙幣６０が紙幣入出金口３０から繰り出されるとセンサ５５がオフになり、制御部１８は、ステージ６１を原点位置にまで下降させる。
【００５６】
続いて、前記紙幣６０は、入出金紙幣認識部３４を通過する際に該入出金紙幣認識部３４のセンサ３４ａによって認識され、金種及び枚数が判別される。そして、制御部１８は、入出金紙幣認識部３４による認識結果に基づき、紙幣６０が正常でリサイクル可能な千円券である場合、第１収納庫３２が満杯であるか否かを判断する。そして、満杯でなければ、前記紙幣６０を第１収納庫３２に向けて搬送させて、該第１収納庫３２に収納する。また、制御部１８は、入出金紙幣認識部３４による認識結果に基づき、紙幣６０が正常でリサイクル可能な五千円券である場合、第２収納庫３３が満杯であるか否かを判断する。そして、満杯でなければ、前記紙幣６０を第２収納庫３３に向けて搬送させて、該第２収納庫３３に収納する。
【００５７】
なお、図６に示されるように、前記搬送間隔Ｔは、振り分けトリガセンサ５７から搬送振り分けゲート５２までの距離Ａよりも長く設定されているので、千円券である紙幣６０と五千円券である紙幣６０とが順次搬送されても、搬送振り分けゲート５２によって、第１収納庫３２と第２収納庫３３とに適切に振り分けることができる。
【００５８】
そして、紙幣６０が第１収納庫３２又は第２収納庫３３に収納され、入出金紙幣認識部３４が搬送されたすべての紙幣６０の認識を完了すると、制御部１８は、紙幣入出金口３０に投入された紙幣６０があるか否か、すなわち、入金紙幣があるか否かを判断する。そして、入金紙幣がない場合には入金処理を終了し、入金紙幣がある場合には、再び分離モータ３９を起動して分離ゲートローラ４３及び分離ゲートローラ４４を駆動し、前述した動作を繰り返して行う。
【００５９】
一方、制御部１８は、入出金紙幣認識部３４による認識結果に基づき、紙幣６０がリサイクル不可能な二千円券若しくは一万円券である場合又は正常でなくリジェクトすべきもの、すなわち、リジェクト紙幣である場合には、搬送モータ３８を停止させ、紙幣入出金口３０からの紙幣６０の繰り出しを停止させる。なお、その後、紙幣６０を紙幣入出金口３０に返却するが、まだ補充待ちの紙幣６０がステージ６１上に存在する場合が想定される。そのため、制御部１８は、まず、ステージ６１を原点位置まで降下させる。ステージ６１を降下させないと、取り込み待ちの紙幣６０と衝突し、ジャムが発生してしまう。
【００６０】
続いて、制御部１８は、搬送モータ３８を逆転駆動して搬送ベルト３６を逆方向に移動させ、前記紙幣６０を紙幣入出金口３０に返却する。なお、前述されたように第１収納庫３２が満杯であるか否かを判断して満杯である場合、及び、第２収納庫３３が満杯であるか否かを判断して満杯である場合にも、制御部１８は、同様の動作を行って、紙幣６０を紙幣入出金口３０に返却する。
【００６１】
この場合、制御部１８は、表示部２０ｂに「リジェクト発生」を表示させて、前記係員に報知する。報知しないと、前記係員は紙幣６０を繰り出す動作が何故停止しているのか把握することができない。なお、「リジェクト発生」の表示に限定することなく、ランプの点灯等でもよく、前記係員に報知することができればいかなる手段であってもよい。
【００６２】
そして、前記係員はリジェクトされて返却された紙幣６０（最上位の数枚でよい）を紙幣入出金口３０から取り除く。そして、ステージ６１上に残存する紙幣６０の補充を再開する。この場合、取り除いた紙幣６０を確認し、該紙幣６０に貼（は）り付きや折れ等があれば修正し、追加してステージ６１上にセットしてから紙幣６０の補充を再開する。また、とりあえずステージ６１上に残存する紙幣６０だけの補充を再開するようにしてもよい。そして、紙幣６０を追加してセットしてから補充を再開する場合は、入力部２０ａによって「再開」を指示する操作を行う。また、とりあえずステージ６１上に残存する紙幣６０だけの補充を再開する場合は、補充が終了した後に、取り除いた紙幣６０を追加してセットしてもよいし、補充終了としてもよい。なお、いずれの場合であっても、紙幣入出金口３０から繰り出された紙幣６０の計数結果は、表示部２０ｂに表示される。
【００６３】
これにより、紙幣入出金口３０に返却された紙幣６０を係員が確認し、再補充することができ、また、補充すべき紙幣６０から除外することもできる。さらに、リジェクト紙幣が発生した場合は、紙幣入出金口３０に返却されるようになっているので、判別結果を待たずに紙幣６０の繰り出しが行われても、すべて紙幣入出金口３０に戻されるので所定の間隔を確保することによって、補充時の繰り出しが可能となる。
【００６４】
次に、フローチャートについて説明する。
ステップＳ２１  補充モードに設定する。
ステップＳ２２  紙幣入出金口３０に紙幣６０を投入する。
ステップＳ２３  ステージ６１を上昇させる。
ステップＳ２４  紙幣６０を繰り出す。
ステップＳ２５  入出金紙幣認識部３４によって金種を判別する。リサイクル不可能な二千円券若しくは一万円券又は判別不能なリジェクト紙幣である場合はステップＳ２６に進み、リサイクル可能な千円券である場合はステップＳ２８に進み、リサイクル可能な五千円券である場合はステップＳ３０に進む。
ステップＳ２６  紙幣６０の繰り出しを停止する。
ステップＳ２７  紙幣入出金口３０に紙幣６０を返却し、処理を終了する。
ステップＳ２８  第１収納庫３２が満杯であるか否かを判断する。第１収納庫３２が満杯である場合はステップＳ２６に戻り、第１収納庫３２が満杯でない場合はステップＳ２９に進む。
ステップＳ２９  第１収納庫３２に収納する。
ステップＳ３０  第２収納庫３３が満杯であるか否かを判断する。第２収納庫３３が満杯である場合はステップＳ２６に戻り、第２収納庫３３が満杯でない場合はステップＳ３１に進む。
ステップＳ３１  第２収納庫３３に収納する。
ステップＳ３２  次の入金紙幣があるか否かを判断する。次の入金紙幣がある場合はステップＳ２４に戻り、次の入金紙幣がない場合は処理を終了する。
【００６５】
次に、貨幣の回収処理の動作について説明する。なお、硬貨釣銭部１３の動作については、説明を省略する。
【００６６】
店舗の閉店した後などに紙幣釣銭部１２内の紙幣６０を回収する場合は、現金管理者の操作によって回収動作が実行される。この場合、制御部１８は、搬送モータ３８を起動し、釣銭の出金処理の場合と同様に紙幣６０を金種別に第１収納庫３２及び第２収納庫３３から繰り出す。前記入出金紙幣認識部３４は、走行状態監視及び金種確認を行い、搬送振り分けゲート５３は回収カセット部３１の方向に設定されているが、リジェクトされた紙幣６０は出金リジェクト部３５に収納される。
【００６７】
このように、本実施の形態において、釣銭機１１はモード切り換えキーを操作することによって、貨幣の入金処理等の通常の処理を行う通常モードと貨幣の補充処理を行う補充モードとを切り換えることができる。そして、入金された紙幣６０のうちでリジェクトすべき紙幣６０は、通常モードでは回収カセット部３１に収納され、補充モードでは紙幣入出金口３０に返却されるようになっている。そのため、入金処理においては貨幣の入金に手間取ることがないので、レジ精算場における精算業務をスムーズに行うことができる。したがって、顧客を長時間待たせたり、レジ精算場が混雑してしまうことがない。また、補充処理においては、リジェクトすべき紙幣６０が回収カセット部３１に収納されないので、補充するために用意された紙幣６０を補充することができ、資金運用が悪くなることがない、さらに、補充処理において入出金紙幣認識部３４による認識結果を待たずに、紙幣６０を連続して繰り出すことができるので、補充時間を短縮することができる。
【００６８】
なお、本実施の形態においては、釣銭機１１を店舗のレジ精算場で使用されるＰＯＳレジスタ１４に取り付けて使用する例について説明したが、銀行等の金融機関の窓口で使用される自動テラー現金預払機（窓口端末）等の銀行員が使用する端末にも適用することができる。
【００６９】
また、本実施の形態においては、入金時処理においてリジェクトすべき紙幣６０を回収カセット部３１に収納するようになっているが、出金リジェクト部３５に収納するようにすることもできる。
【００７０】
なお、本発明は前記実施の形態に限定されるものではなく、本発明の趣旨に基づいて種々変形させることが可能であり、それらを本発明の範囲から排除するものではない。
【図面の簡単な説明】
【００７１】
【図１】本発明の実施の形態における貨幣処理装置の斜視図である。
【図２】本発明の実施の形態における釣銭機の機能構成を示すブロック図である。
【図３】本発明の実施の形態における紙幣釣銭部の概略断面図である。
【図４】本発明の実施の形態における釣銭機の表示部の表示画面の例を示す図である。
【図５】本発明の実施の形態における紙幣釣銭部の紙幣の入金処理の動作を示すフローチャートである。
【図６】本発明の実施の形態における紙幣の搬送間隔を示す図である。
【図７】本発明の実施の形態における紙幣釣銭部の紙幣の補充処理の動作を示すフローチャートである。
【符号の説明】
【００７２】
１１    釣銭機
３０    紙幣入出金口
３１    回収カセット部
３２    第１収納庫
３３    第２収納庫
３４    入出金紙幣認識部
【図１】
2005266867.tif 000003
【図２】
2005266867.tif 000004
【図３】
2005266867.tif 000005
【図４】
2005266867.tif 000006
【図５】
2005266867.tif 000007
【図６】
2005266867.tif 000008
【図７】
2005266867.tif 000009